(57)【要約】【課題】      本体部のつまさきに沿って足の指先が当たる受け面を有するつま先部を設けて履き心地を良くした釣り用靴・タビ・ウェ−ダ−を提供することである。【解決手段】  釣り用靴・タビの本体部１は、柔軟性と防水性と伸縮性を有する発泡合成樹脂やクロロプレ−ンゴム、ウレタン等の発泡材シ−トで形成され、底材２の上に左右の内側胴部３と外側胴部４と甲部５とつま先部６が貼り合わせで固定され、内側胴部３と外側胴部４と甲部５で筒状に形成されている。  足を本体部１の中に差し込んだ後は、足の指先につま先部６が当り、貼り合わせ部ａは足の指先の上下位置となる。【選択図】        図３
2010052238.tif 000002
【特許請求の範囲】
【請求項１】
複数の発泡材シ−トを貼り合わせて足を差し込む本体部を形成し、前記発泡材シ−トの少なくとも一つは前記本体部のつまさきに沿って足の指先が当たる受け面を有するつま先部としたことを特徴とする釣り用靴・タビ・ウェ−ダ−。
【発明の詳細な説明】
【技術分野】
【０００１】
本発明は、本体部のつまさきに沿って足の指先に当たるつま先部が設けられた釣り用靴・タビ・ウェ−ダ−に関する。
【背景技術】
【０００２】
従来から釣りにおいて、一般的な長靴、胴長靴（ウェ−ダ−）やストッキング状に形成して釣人が好みの釣り用靴やタビを履くようにしたストッキングウェ−ダ−等の釣り用長靴が用いられている。
これら釣り用長靴本体は発泡ゴムシ−トを貼り合わせて形成し、必要に応じて補強シ−トが貼着されたり、靴底が取り付けられている。
発泡ゴムシ−トを貼り合わせて靴本体を形成すると、つま先近傍にも貼り合わせ部が形成される。
従来の特許文献１のような釣り用長靴は本体のスポンジゴムシ−トを貼り合わせて足を差し入れる部分と胴部を形成しているが、左右２枚のシ−トで形成しているため貼り合わせ部がつま先を回わるように形成される。
このように貼り合わせ部が形成されると、貼り合わせ部はスポンジゴムシ−トの弾力性がない硬い部分になると共に膨れて突出するので、硬い貼り合わせ部に足の指先が当たり痛くて履き心地が悪く、貼り合わせ部を指先で押すことになるので破損しやすいという欠点がある。
【特許文献１】特開昭５９−２２２１０２号公報
【発明の開示】
【発明が解決しようとする課題】
【０００３】
解決しようとする問題点は、硬い貼り合わせ部に足の指先が当たり痛くて履き心地が悪く、貼り合わせ部で足の指先を受けると破損しやすいということである。
【０００４】
本発明の目的は前記欠点に鑑み、本体部のつまさきに沿って足の指先が当たる受け面を有するつま先部を設けて履き心地を良くした釣り用靴・タビ・ウェ−ダ−を提供することである。
【課題を解決するための手段】
【０００５】
本発明の請求項１は、複数の発泡材シ−トを貼り合わせて足を差し込む本体部を形成し、前記発泡材シ−トの少なくとも一つは前記本体部のつまさきに沿って足の指先が当たる受け面を有するつま先部としたことを要旨とするものである。
【発明の効果】
【０００６】
本発明の請求項により、本体部のつまさきに沿って足の指先が当たる受け面を有するつま先部を設けて貼り合わせ部を足の指先の上下位置としたので、足の指先には弾力性のある材料のつま先部の受け面が当たるので履き心地を良くなり、貼り合わせ部を指先で押すことがなくなるので破損し難くなる。
【発明を実施するための最良の形態】
【０００７】
釣り用靴・タビの本体部１は、柔軟性と防水性と伸縮性を有する発泡合成樹脂やクロロプレ−ンゴム、ウレタン等の発泡材シ−トで形成され、底材２の上に左右の内側胴部３と外側胴部４と甲部５とつま先部６が貼り合わせで固定され、内側胴部３と外側胴部４と甲部５で筒状に形成されている。
足を本体部１の中に差し込んだ後は、足の指先につま先部６が当り、貼り合わせ部ａは足の指先の上下位置となる。
【実施例１】
【０００８】
以下、図示の実施例によって本発明を説明すると、図１から図３は第１実施例で図１は釣り用靴・タビの斜視図、図２は釣り用靴・タビの分解斜視図、図３は釣り用靴・タビのつまさきの断面側面図である。
【０００９】
第１実施例の釣り用靴・タビのつまさきは丸みのあるつまさきで形成されている。
釣り用靴・タビの本体部１は、柔軟性と防水性と伸縮性を有する発泡合成樹脂やクロロプレ−ンゴム、ウレタン等の発泡材シ−トで形成され、底材２の上に左右の内側胴部３と外側胴部４と甲部５とつま先部６が貼り合わせで固定され、内側胴部３と外側胴部４と甲部５で筒状に形成されている。
詳細には、内側胴部３と外側胴部４の後側端部３ａ、４ａが熱溶着等で貼り合わされる。
内側胴部３と外側胴部４の前側上端部３ｂ、４ｂは甲部５の後側端部５ａ、５ｂに夫々に熱溶着等で貼り合わされる。
内側胴部３と外側胴部４の前側下端部３ｃ、４ｃにはつま先部６の後側端部６ａ、６ｂが夫々熱溶着等で貼り合わされる。
甲部５の前端部５ｃはつま先部６の上端部６ｃが熱溶着等で貼り合わされる。
内側胴部３と外側胴部４の下端部３ｃ、４ｃとつま先部６の下端部６ｄは底材２の上に夫々熱溶着等で貼り合わされる。
発泡材シ−トで形成されたつま先部６は足の指先に沿ってこれを前方で囲むように配され、足の指先の前方に正面が向かい合うように底材２から壁状に立ち上がっている。
つま先部６の内面６ｅは足の指先で直交するように当たる受け面となっており、足の指先が当たると前方に突出するように変形し衝撃を緩和する。
つま先部６の甲部５と底材２の貼り合わせ部ａは内面６ｅの足の指先が当たる部位からずれてその上方及び下方に形成されるため足の指先に当たることを防止している。
【００１０】
釣り用靴・タビの本体部１が底材２と内側胴部３と外側胴部４と甲部５とつま先部６の貼り合わせで形成されると、足を本体部１の中に差し込んだ後は、図３のように足の指先につま先部６の内面６ｅが受け面となって当り、貼り合わせ部ａは足の指先の上下位置となる。
【００１１】
前記のように釣り用靴・タビ・ウェ−ダ−が構成されていると、本体部１のつまさきに沿って足の指先が当たる平面のつま先部６を設けて貼り合わせ部ａを足の指先の上下位置としたので、足の指先には弾力性のある材料のつま先部６の平面状の内面６ｅが足の指先に正面で向かい合うように当たるので履き心地を良くなり、貼り合わせ部ａを指先で押すことがなくなるので破損し難くなる。
【実施例２】
【００１２】
図４、図５は第２実施例で図４は釣り用靴・タビの斜視図、図５は釣り用靴・タビの分解斜視図である。
【００１３】
第２実施例の釣り用靴・タビのつまさきは二股に形成されている。
釣り用靴・タビの本体部１の底材２′のつまさきは親指収納部１ａの底部２ａと他の指収納部１ｂの底部２ｂが凹部２ｃを挟んで二股に分かれて形成されている。
甲部５′のつまさきは親指収納部１ａの上部５ｄと他の指収納部１ｂの上部５ｅが凹部５ｆを挟んで二股に分かれて形成されている。
つま先部６は底材２′と甲部５′の親指収納部１ａと他の指収納部１ｂの形状に合わせてＷ状に湾曲させて熱溶着等で貼り合わされる。
つま先部６は底材２′から壁状に立ち上がり、その内面６ｅは足の指先が直交するように当たる受け面となる。
他の構成は前記第１実施例と略同一である。
【実施例３】
【００１４】
図６は第３実施例で図６は釣り用靴・タビの斜視図である。
【００１５】
第３実施例では釣り用靴・タビの本体部１の底材２′の裏側に靴底７が固定されている。
靴底にはゴムやフェルトが使用される。
このように、ソックス状のまま使用する他に、靴底を取り付けて使用することが出来る。
【実施例４】
【００１６】
図７は第４実施例で図７は釣り用胴長靴（ストッキングウェ−ダ−）の一部断面斜視図である。
【００１７】
第４実施例では釣り用胴長靴（ストッキングウェ−ダ−）のタイツ部８に第１実施例の釣り用靴・タビの本体部１が固定で取り付けられている。
タイツ部８はクロロプレ−ンゴム等で形成されている。
タイツ部８の裾にはスカ−ト状のカバ−部８ａが取り付けられて２点鎖線の靴９が履かれた時靴９の足差込み口をカバ−する。
このように靴底を有しないソックス状のまま使用することが出来る。
【実施例５】
【００１８】
図８は第５実施例で図８は釣り用胴長靴（ウェ−ダ−）の斜視図である。
【００１９】
第５実施例では釣り用胴長靴（ウェ−ダ−）１０に靴９が固定されている。
【産業上の利用可能性】
【００２０】
本発明は釣り用靴・タビ・ウェ−ダ−全般に利用できる。
【図面の簡単な説明】
【００２１】
【図１】第１実施例で、釣り用靴・タビの斜視図である。
【図２】同釣り用靴・タビの分解斜視図である。
【図３】同釣り用靴・タビのつまさきの断面側面図である。
【図４】第２実施例で、釣り用靴・タビの斜視図である。
【図５】同釣り用靴・タビの分解斜視図である。
【図６】第３実施例で、釣り用靴・タビの斜視図である。
【図７】第４実施例で、釣り用胴長靴（ストッキングウェ−ダ−）の一部断面斜視図である。
【図８】第５実施例で、釣り用胴長靴（ウェ−ダ−）の斜視図である。
【符号の説明】
【００２２】
１  本体部
６  つま先部
【図１】
2010052238.tif 000003
【図２】
2010052238.tif 000004
【図３】
2010052238.tif 000005
【図４】
2010052238.tif 000006
【図５】
2010052238.tif 000007
【図６】
2010052238.tif 000008
【図７】
2010052238.tif 000009
【図８】
2010052238.tif 000010